(57)【特許請求の範囲】
【請求項１】
少なくとも１辺が直線部である天板を有するテーブルに覆い被せるテーブルクロスであって、
天板と同一形状の天板覆い部と一つの天板直線部から一定長さ垂下する直線垂下部とを１枚の布地で形成したテーブルクロス主部と、
前記一つの天板直線部を除く天板周縁の周縁長さを１辺とし、前記直線垂下部が垂下する一定長さを他の１辺とする矩形状の布地からなるテーブルクロス副部と、
を縫着してなることを特徴とするテーブルクロス。
【発明の詳細な説明】
【技術分野】
【０００１】
本発明は、テーブルクロスに関し、特にテーブルの天板と同一形状の天板覆い部を有し、テーブルにスッポリ覆い被せることができて、垂下部の弛みが生じない箱形の形状をなすテーブルクロスに関する。
【背景技術】
【０００２】
従来から、公知文献１に示されるように、テーブルクロスのテーブル天板覆い部周囲に面ファスナーの雌部を取り付け、テーブル周囲に巻回する垂下部の上端部に面ファスナーの雌部を取り付けてなる天板覆い部と垂下部とを着脱自在にしたテーブルクロスが使用されている。
【特許文献１】実開平５-７２２６６号公報
【発明の開示】
【発明が解決しようとする課題】
【０００３】
しかしながら、上記公知文献１に示されるものは、先ず、面ファスナーを必要とするので製品コストが高い欠点があり、天板覆い部をテーブルに被せて垂下部を接着するという手間が掛かり、テーブル天板正面の角部にテーブルクロスの接着部が露出して見栄えが悪いという欠点がある。
【０００４】
そこで、本発明は、上述の問題を改善し、製造コストが安く、かつ、テーブルに覆い被せるのに手間を要せず、しかも、見栄えがよいテーブルクロスを提供することを目的とするものである。
【課題を解決するための手段】
【０００５】
本発明に係るテーブルクロスは、少なくとも１辺が直線部である天板を有するテーブルに覆い被せるテーブルクロスであって、天板と同一形状の天板覆い部と一つの天板直線部から一定長さ垂下する直線垂下部とを１枚の布地で形成したテーブルクロス主部と、前記一つの天板直線部を除く天板周縁部の周縁長さを１辺とし、前記直線垂下部が垂下する一定長さを他の１辺とする矩形状の布地からなるテーブルクロス副部とを縫着してなることを特徴とするものである。
【０００６】
上記のように構成したことにより、当該テーブルクロスは箱形をなし、テーブル天板正面の角部はテーブルクロスの布地が連続していて縫着線が入らない。
【発明の効果】
【０００７】
したがって、本発明に係るテーブルクロスは、材料費が少なく、かつ、テーブル覆い被せるのが極めて容易であり、しかもテーブル正面においてテーブルクロスの体裁が良好で、実用的効果が極めて高いものである。
【発明を実施するための最良の形態】
【０００８】
以下、本発明に係るテーブルクロスの実施例について、図面に基づき詳細に説明する。
【実施例１】
【０００９】
図１は実施例１に係るテーブルクロスをテーブルに装着した状態を示す斜視図であり、図２は実施例１に係るテーブルクロスを構成する布地であって、（ａ）はテーブルクロス副部を構成する布地の正面図であり、(ｂ)はテーブルクロス主部を構成する布地の正面図であり、図３は実施例１に係るテーブルクロスの組立方法を示す分解斜視図であり、図４は実施例１に係るテーブルクロスを斜め右上より見た斜視図であり、図５は実施例１に係るテーブルクロスを斜め左上より見た斜視図である。
【００１０】
図１において、１０は実施例１に係るテーブルクロスを示し、当該テーブルクロス１０は、矩形状の天板Ｘ１と４本の脚部Ｘ２を有するテーブルＸに覆い被せることにより装着されている。符号Ａ，Ｂ，Ｃ，Ｄは天板Ｘ１の各辺を示し、ａ，ｂ，ｃ，ｄは天板Ｘ１の各辺の長さを示す。
【００１１】
テーブルクロス１０は、図２に示すように、図２(ｂ)のテーブルクロス主部１１を構成する矩形状の布地と、図２(ａ)のテーブルクロス副部１２を構成する矩形状の布地とを縫着して合体したものである。図１における１０ａは縫着線である。
【００１２】
テーブルクロス主部１１は、図２(ａ)に示すように、前記天板Ｘ１と同一形状をなす天板覆い部１１ａと天板Ｘ１におけるテーブルＸの正面側の天板直線部である辺Ａから長さｖだけ垂下する直線垂下部１１ｂとから構成され、符号Ｅ，Ｆ，Ｇ，Ｈはテーブルクロス主部１１の各辺を示し、テーブルクロス主部１１の各辺の長さをｅ，ｆ，ｇ，ｈとする。そうするとテーブルクロス主部１１の辺Ｅ，Ｇの長さｅ，ｇはテーブル天板Ｘ１の辺Ａ，Ｃの長さａ，ｃと等しく、テーブルクロス主部１１の辺Ｆ，Ｈの長さｆ，ｈはテーブル天板Ｘ１の辺Ｂ，Ｄの長さｂ，ｄに直線垂下部１１ｂの長さｖをそれぞれ加算した長さとなる。なお、図２(ｂ)において、１１ｃは縫い代部を示すが、縫い代部１１ｃは上記の長さの計算には考慮していない。
【００１３】
テーブルクロス副部１２は、図２(ｂ)に示すように、前記直線垂下部１１ｂの垂下長さｖを１辺とし、天板直線部である辺Ａを除く天板Ｘ１の周縁部の長さを他の１辺とする矩形状の布地から構成されており、符号Ｉ，Ｊ，Ｋ，Ｌはテーブルクロス副部１２の各辺を示し、テーブルクロス副部１２の各辺の長さをｉ，ｊ，ｋ，ｌとする。そうするとテーブルクロス副部１２の辺Ｊ，Ｌはテーブルクロス主部１１の直線垂下部１１ｂの長さｖと等しく、テーブルクロス副部１２の辺Ｉ，Ｋはテーブル天板Ｘ１の辺Ｂ，Ｃ，Ｄの合計であるｂ＋ｃ＋ｄとなる。
【００１４】
上記構成よりなるテーブルクロス主部１１及びテーブルクロス副部１２を、図３に示すように、それぞれ折り曲げて組み合わせ、図４及び図５に示すように、テーブルクロス主部１１の縫い代部１１ｃにてテーブルクロス副部１２を縫着すると、実施例１に係るテーブルクロス１０が完成する。すなわち、テーブルクロス副部１２の右側部１２ａが右側壁となってテーブルクロス主部１１の辺Ｆに縫着し、テーブルクロス副部１２の中央部１２ｂが背面壁となってテーブルクロス主部１１の辺Ｇに縫着し、テーブルクロス副部１２の左側部１２ｃが左側壁となってテーブルクロス主部１１の辺Ｈに縫着する。図４及び図５における１０ａは縫着線である。
【００１５】
このように構成することにより、テーブルクロス１０はボックス型の立体状をなし、図１に示すように、テーブルＸにスッポリと覆い被せることができ、極めて便利である。
【実施例２】
【００１６】
図６は実施例２に係るテーブルクロスをテーブルに装着した状態を示す斜視図であり、図７は実施例２に係るテーブルクロスを構成する布地であって、（ａ）はテーブルクロス副部を構成する布地の正面図であり、(ｂ)はテーブルクロス主部を構成する布地の正面図であり、図８は実施例２に係るテーブルクロスの組立方法を示す分解斜視図であり、図９は実施例２に係るテーブルクロスを斜め右上より見た斜視図である。
【００１７】
図６において、１００は実施例２に係るテーブルクロスを示し、当該テーブルクロス１００は、半円状の天板Ｙ１と３本の脚部Ｙ２を有するテーブルＹに覆い被せることにより装着されている。符号Ｍ，Ｎは天板Ｙ１の各辺を示し、ｍ，ｎは天板Ｙ１の各辺の長さを示す。
【００１８】
テーブルクロス１００は、図７に示すように、図７(ｂ)のテーブルクロス主部１１０を構成する半円と矩形とからなる布地と、図７(ａ)のテーブルクロス副部１２０を構成する矩形状の布地とを縫着して合体したものである。図６における１００ａは縫着線である。
【００１９】
テーブルクロス主部１１０は、図７(ａ)に示すように、前記天板Ｙ１と同一形状の半円をなす天板覆い部１１０ａと天板Ｙ１におけるテーブルＹの正面側の天板直線部である辺Ｍから長さｖだけ垂下する直線垂下部１１０ｂとから構成され、符号Ｏ，Ｐはテーブルクロス主部１１０の各辺を示し、テーブルクロス主部１１０の各辺の長さをｏ，ｐとする。そうするとテーブルクロス主部１１０の辺Ｏの長さｏはテーブル天板Ｙ１の辺Ｍの長さｍと等しく、テーブルクロス主部１１０の辺Ｐの長さｐはテーブル天板Ｙ１の円弧状辺Ｎの長さｎに直線垂下部１１０ｂの長さｖを加算した長さとなる。なお、図７(ｂ)において、１１０ｃは縫い代部を示すが、縫い代部１１０ｃは上記の長さの計算には考慮していない。
【００２０】
テーブルクロス副部１２０は、図７(ｂ)に示すように、前記直線垂下部１１０ｂの垂下長さｖを１辺とし、天板直線部である辺Ｍを除く天板Ｙ１の円弧状周縁部Ｎの長さｎを他の１辺とする矩形状の布地から構成されており、符号Ｑ，Ｒ，Ｓ，Ｔはテーブルクロス副部１２０の各辺を示し、テーブルクロス副部１２０の各辺の長さをｑ，ｒ，ｓ，ｔとする。そうするとテーブルクロス副部１２０の辺Ｒ，Ｔはテーブルクロス主部１１０の直線垂下部１１０ｂの長さｖと等しく、テーブルクロス副部１２０の辺Ｑ，Ｓはテーブル天板Ｙ１の辺Ｎの長さｎと等しくなる。
【００２１】
上記構成よりなるテーブルクロス主部１１０及びテーブルクロス副部１２０を、図８に示すように、それぞれ折り曲げ又は湾曲させて組み合わせ、図９に示すように、テーブルクロス主部１１０の縫い代部１１０ｃにてテーブルクロス副部１２０を縫着すると、実施例２に係るテーブルクロス１００が完成する。すなわち、テーブルクロス副部１２０が湾曲壁となってテーブルクロス主部１１の辺Ｐに縫着する。図９における１００ａは縫着線である。
【００２２】
このように構成することにより、テーブルクロス１００は半円ボックス型の立体状をなし、図６に示すように、天板Ｙ１が半円状のテーブルＹにスッポリと覆い被せることができ、極めて便利である。
【図面の簡単な説明】
【００２３】
【図１】本発明の実施例１に係るテーブルクロスをテーブルに装着した状態を示す斜視図である。
【図２】本発明の実施例１に係るテーブルクロスを構成する布地であって、（ａ）はテーブルクロス副部を構成する布地の正面図であり、(ｂ)はテーブルクロス主部を構成する布地の正面図である。
【図３】本発明の実施例１に係るテーブルクロスの組立方法を示す分解斜視図である。
【図４】本発明の実施例１に係るテーブルクロスを斜め右上より見た斜視図である。
【図５】本発明の実施例１に係るテーブルクロスを斜め左上より見た斜視図である。
【図６】本発明の実施例２に係るテーブルクロスをテーブルに装着した状態を示す斜視図である。
【図７】本発明の実施例２に係るテーブルクロスを構成する布地であって、（ａ）はテーブルクロス副部を構成する布地の正面図であり、(ｂ)はテーブルクロス主部を構成する布地の正面図である。
【図８】本発明の実施例２に係るテーブルクロスの組立方法を示す分解斜視図である。
【図９】本発明の実施例２に係るテーブルクロスを斜め右上より見た斜視図である。
【符号の説明】
【００２４】
１０・・・テーブルクロス
１０ａ・・縫着線
Ｘ・・・・テーブル
Ｘ１・・・天板
Ｘ２・・・脚部
Ａ，Ｂ，Ｃ，Ｄ・・・天板の各辺
１１・・・テーブルクロス主部
Ｅ，Ｆ，Ｇ，Ｈ・・・テーブルクロス主部の各辺
１１ａ・・天板覆い部
１１ｂ・・直線垂下部
ｖ・・・・直線垂下部の長さ
１１ｃ・・縫い代部
１２・・・テーブルクロス副部
１２ａ・・テーブルクロス副部の右側部
１２ｂ・・テーブルクロス副部の中央部
１２ｃ・・テーブルクロス副部の左側部
Ｉ，Ｊ，Ｋ，Ｌ・・・テーブルクロス副部の各辺
１００・・テーブルクロス
１００ａ・縫着線
Ｙ・・・・テーブル
Ｙ１・・・天板
Ｙ２・・・脚部
Ｍ，Ｎ・・天板の各辺
１１０・・テーブルクロス主部
Ｏ，Ｐ・・テーブルクロス主部の各辺
１１０ａ・天板覆い部
１１０ｂ・直線垂下部
１１０ｃ・縫い代部
１２０・・テーブルクロス副部
Ｑ，Ｒ，Ｓ，Ｔ・・・テーブルクロス副部の各辺
【図１】
0005132253.tif 000002
【図２】
0005132253.tif 000003
【図３】
0005132253.tif 000004
【図４】
0005132253.tif 000005
【図５】
0005132253.tif 000006
【図６】
0005132253.tif 000007
【図７】
0005132253.tif 000008
【図８】
0005132253.tif 000009
【図９】
0005132253.tif 000010